【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
処理液が収容され、上端開口を有する表面処理槽と、
前記表面処理槽の前記上端開口の上方から外れた位置にて、前記表面処理槽の長手方向と平行な第１方向に沿って延設される第１，第２案内レールと、
前記表面処理槽の前記処理液中に配置させてワークをそれぞれ保持し、前記第１，第２案内レールに支持される複数の搬送冶具と、
を有し、
前記複数の治具の各々は、
前記第１方向と交差する第２方向に沿って延びる水平アーム部と、
前記水平アーム部の一端側に支持され、前記第１案内レールに案内される第１被案内部と、
前記水平アーム部の他端側に支持され、前記第２案内レールに案内される第２被案内部と、
前記第１被案内部と前記第２被案内部との間の位置にて前記水平アーム部から垂下され、前記ワークを保持する垂直アーム部と、
を有することを特徴とする表面処理装置。
【請求項２】
処理液が収容され、上端開口を有する表面処理槽と、
前記表面処理槽の前記上端開口の上方から外れた位置にて、前記表面処理槽の長手方向と平行な第１方向に沿って延設される第１，第２案内レール及び給電レールと、
前記表面処理槽の前記処理液中に配置させてワークをそれぞれ保持し、前記第１，第２案内レールに支持され、かつ、前記給電レールに接触して給電される複数の搬送冶具と、を有し、
前記複数の治具の各々は、
前記第１方向と交差する第２方向に沿って延びる水平アーム部と、
前記水平アーム部の一端側に支持され、前記第１案内レールに案内される第１被案内部と、
前記水平アーム部の他端側に支持され、前記第２案内レールに案内される第２被案内部と、
前記第１被案内部と前記第２被案内部との間の位置にて前記水平アーム部から垂下され、前記ワークを保持する垂直アーム部と、
前記第１被案内部と前記垂直アーム部との間の位置にて前記水平アーム部に支持されて、前記給電レールに接触する被給電部と、
を有することを特徴とする表面処理装置。
【請求項３】
請求項２において、
前記給電レールは、前記第１方向に沿って平行に延びる、互いに絶縁されたＮ（Ｎは２以上の整数）個の分割給電レールを有し、
前記複数の搬送治具は、前記水平アーム部に対して前記第２方向にて位置が異なるＮ箇所の各一つに前記被給電部が取り付けられた第１〜第Ｎの搬送治具を含み、前記第１〜第Ｎの搬送治具の各一つが、前記Ｎ個の分割給電レールの各一つと接触することを特徴とする表面処理装置。
【請求項４】
請求項３において、
前記第１〜第Ｎの搬送治具の各々は、前記被給電部を支持する支持部を含み、
前記支持部は、前記第２方向で異なる位置に設けられたＮ個の取付部を含み、
前記第１〜第Ｎの搬送治具の各々の前記被給電部は、前記給電レールに接触する接触部をそれぞれ含み、前記接触部が、前記Ｎ個の取付部の一つに取り付けられることを特徴とする表面処理装置。
【請求項５】
請求項１乃至４のいずれかにおいて、
前記第１案内レールは、縦断面にて、上面と、第１側面と、前記第１側面と対向する第２側面とを含み、
前記複数の搬送冶具の各々の前記第１被案内部は、
前記第１案内レールの前記上面と転接する第１ローラーと、
前記第１案内レールの前記第１側面と転接する第２ローラーと、
前記第１案内レールの前記第２側面と転接する第３ローラーと、
を含み、
前記複数の搬送冶具の各々の前記第２被案内部は、前記第２案内レールの上面と転接する第４ローラーを含むことを特徴とする表面処理装置。
【請求項６】
請求項１乃至５のいずれかにおいて、
前記複数の搬送治具の各々は、吊り下げ用のフック部をさらに有し、
前記フック部に係合して、前記複数の搬送治具に保持された前記ワークを、前記表面処理槽に対して昇降させる昇降部をさらに有することを特徴とする表面処理装置。
【請求項７】
請求項２または３において、
前記被給電部は、
前記給電レールに接触する接触部と、
前記水平アーム部と前記接触部とを連結する平行リンク機構と、
前記平行リンク機構を回転付勢して、前記接触部に接触圧を付与する付勢部材と、
を有することを特徴とする表面処理装置。
【手続補正２】
【補正対象書類名】明細書
【補正対象項目名】発明の名称
【補正方法】変更
【補正の内容】
【発明の名称】表面処理装置
【手続補正３】
【補正対象書類名】明細書
【補正対象項目名】０００１
【補正方法】変更
【補正の内容】
【０００１】
本発明は、連続メッキ装置等の表面処理装置に関する。
【手続補正４】
【補正対象書類名】明細書
【補正対象項目名】００１７
【補正方法】変更
【補正の内容】
【００１７】
（４）本発明のさらに他の態様は、
処理液が収容され、上端開口を有する表面処理槽と、
前記表面処理槽の前記上端開口の上方から外れた位置にて、前記表面処理槽の長手方向と平行な第１方向に沿って延設される案内レール及び給電レールと、
前記表面処理槽の前記処理液中に配置させてワークをそれぞれ保持し、前記案内レールに支持され、かつ、前記給電レールに接触して給電される複数の搬送冶具と、
を有し、
前記複数の治具の各々は、
前記第１方向と交差する第２方向に沿って延びる水平アーム部と、
前記水平アーム部の一端側に支持され、前記案内レールに案内される被案内部と、
前記被案内部と前記垂直アーム部との間の位置にて前記水平アームに支持されて、前記給電レールに接触する被給電部と、
を有し、
前記被給電部は、
前記給電レールに接触する接触部と、
前記水平アーム部と前記接触部とを連結する平行リンク機構と、
前記平行リンク機構を回転付勢して、前記接触部に接触圧を付与する付勢部材と、
を有する表面処理装置に関する。
【手続補正５】
【補正対象書類名】明細書
【補正対象項目名】００３１
【補正方法】変更
【補正の内容】
【００３１】
４．分割給電レールを用いた電流制御方法
以下、特開２００９−１３２９９９に開示された電流制御方法について、図７及び図８（Ａ）（Ｂ）を参照して説明する。なお、図１に示すメッキ槽２００は紙面に垂直な搬送方向に沿って例えば１０数ｍ以上の長さを有する。図７に示すメッキ槽ユニット２００Ａは単位ユニットを示し、複数のメッキ槽ユニット２００Ａを連接することで、図１のメッキ槽２００が構成される。
【手続補正６】
【補正対象書類名】明細書
【補正対象項目名】００５０
【補正方法】変更
【補正の内容】
【００５０】
プッシャー１５３Ａ，１５３Ｂには、搬送治具３０の第１被押動部３６０を押動する爪部材１５４Ａ，１５４Ｂを有する。爪部材１５４Ａ，１５４Ｂは、プッシャー１５３Ａ，１５３Ｂの前進時に搬送治具３０の第１被押動部３６０を押動する。爪部材１５４Ａ，１５４Ｂは、プッシャー１５３Ａ，１５３Ｂの後退時には、第１被押動部３６０の前進を妨げないように変位可能である。なお、搬送治具３０は第２被押動部３６２を有し、第２被押動部３６２はメッキ槽２０での連続搬送以外のときに用いられる。
【手続補正７】
【補正対象書類名】明細書
【補正対象項目名】００５５
【補正方法】変更
【補正の内容】
【００５５】
ワーク保持治具５００は、図３及び図６に示すように、矩形ワーク２０の第一辺（例えば上辺）２０ａを把持する複数の第１チャック部材５１０と、矩形ワーク２０の第一辺２０ａと第３方向（鉛直方向）Ｃにて対向する第２辺２０ｂを把持する複数の第２チャック部材５２０と、矩形ワーク２０を囲んで配置され、複数の第１チャック部材５１０及び複数の第２チャック部材５２０を支持する枠状部材５３０と、を有する。
【手続補正８】
【補正対象書類名】明細書
【補正対象項目名】００５９
【補正方法】変更
【補正の内容】
【００５９】
ワーク２０をワーク保持治具５００に取り付けるには、先ずワーク２０の第２辺２０ｂを複数の第２チャック部材５２０にて把持する。次に、ワーク２０の第１辺２０ａを第２チャック部材５１０にて把持するために、最初に可動板５３２をコイルスプリング５５０の付勢力に抗して押し下げて、図１０の状態に設定する。このとき、第１チャック部材５１０の被駆動片５１２Ａを駆動して、図１０に示すように押圧駆動片５１２Ｂを開放状態に設定しておく。次に、被駆動片５１２Ａの駆動を解除することで、ワーク２０の第１辺２０ａが第１チャック部材５１０にて把持される。最後に、可動板５３２への押し下げ力を解除する。これにより、可動板５３２はコイルスプリング５５０の付勢力により上昇され、ワーク２０にテンションを付与して、ワーク２０の平面性を維持することができる。